(57)【特許請求の範囲】
【請求項１】
引き戸の一側端の上下に主走行具を設けるとともに他側端の上下に補助走行具を設け、主走行具及び補助走行具を上下レールに走行自在に建て込むとともに補助走行具を上下レールから引き出して引き戸を上下の主走行具を中心にスイング回動自在にしたスイング引き戸であって、引き戸の補助走行具側の端部に補助走行具を上下レールに対して出退させるための操作ハンドルを回動軸の回りに上下方向に回動自在に設け、引き戸側に設けた操作具ベースにスライドケースを上下方向にのみスライド自在に設け、スライドケースと補助走行具とを連動機構にて連結してスライドケースの上下移動によって補助走行具を上下レールから出退自在にし、スライドケース内にばねを納めるとともにばね押圧体を設け、操作ハンドルに回動軸を越えて延出部を設け、延出部をばね押圧体に枢支連結して操作ハンドルの回動軸回りの回動操作によって補助走行具を上下レールから出退自在に構成し、ばね押圧体に設けたピンをスライドケースの長孔に貫通させて突出し、操作具ベースに設けた略円弧状のガイド孔に上記ピンをスライドガイド自在に挿通してあり、上記連動機構は、スライドケースから延出されるスライド板にラックが形成され、操作具ベースにピニオンギアが回転自在に保持され、このピニオンギアを介して上記ラックと噛み合うラックギアが上移動体に形成され、スライドケースに下移動体が連結されて構成され、上記操作ハンドルを回転軸の回りに上下方向に回転させると、操作ハンドルの延出部に枢着連結されたばね押圧体にてばねが押圧されて、ばね押圧体のピンが操作具ベースの略円弧状のガイド孔にガイドされることで、スライドケースが操作具ベースに沿って昇降し、このスライドケースの昇降により、スライド板、ピニオンギア及び上移動体を介して上補助走行具が昇降すると共に、下移動体を介して下補助走行具が昇降することで、上下補助走行具を上下レールから出退できるようにして成ることを特徴とするスイング引き戸。
【請求項２】
引き戸の一側端の上下に主走行具を設けるとともに他側端の上下に補助走行具を設け、主走行具及び補助走行具を上下レールに走行自在に建て込むとともに補助走行具を上下レールから引き出して引き戸を上下の主走行具を中心にスイング回動自在にしたスイング引き戸であって、引き戸の補助走行具側の端部に補助走行具を上下レールに対して出退させるための操作ハンドルを回動軸の回りに上下方向に回動自在に設け、操作ハンドルと補助走行具とを連動機構にて連結して操作ハンドルの上下回動によって補助走行具を上下レールから出退自在にし、操作ハンドルにピンを突出させ、操作具ベースに設けた略円弧状のガイド孔に上記ピンをスライドガイド自在に挿通し、ピンをガイド孔の端部に係止する係止手段を設け、上記連動機構は、操作ハンドルのピンに枢支連結される揺動アームと、揺動アームに軸を介して枢支連結される下移動体と、操作ハンドルにリンク及び軸の回りに回転する回転アームを介して連結される上移動体とで構成され、操作ハンドルの上下回動によって操作ハンドルのピンが操作具ベースの略円弧状のガイド孔にガイドされることで、揺動アーム及び下移動体を介して上補助走行具が昇降すると共に、リンク及び回転アームを介して下移動体が昇降し、これにより上下補助走行具を上下レールから出退できるようにして成ることを特徴とするスイング引き戸。
【発明の詳細な説明】
【０００１】
【発明の属する技術分野】
本発明は、スイング引き戸に関し、詳しくは、上下レールに沿って走行する引き戸を上下レールに対して略直交するようにスイング回動自在としたスイング引き戸に関し、更に詳しくは、スイング回動させる場合に補助走行具を上下レールから引き出し、又、挿入するための操作を操作性を高めながら安定しておこなえるようにしようとする技術に係るものである。
【０００２】
【従来の技術】
従来、引き戸の一側端の上下に主走行具を設けるとともに他側端の上下に補助走行具を設け、主走行具及び補助走行具を上下レールに走行自在に建て込むとともに補助走行具を上下レールから引き出して引き戸を上下の主走行具を中心にスイング回動自在にしたスイング引き戸においては、引き戸の上下の補助走行具を別々に昇降自在に操作するために、操作ハンドルを引き戸の端部に２個設けたものがあり、又、引き戸の上下の補助走行具を同時に昇降自在に操作するために、操作ハンドルを引き戸の端部に１個設けたものがある。
【０００３】
【発明が解決しようとする課題】
ところで、操作ハンドルを２個設けて補助走行具を別々に昇降操作するものにおいては、各々の補助走行具を軽くかつ安定して昇降操作することができるが、上下の補助走行具の操作が別になっていて、全体の操作性が低いものとなっていた。又、１個の操作ハンドルにて上下の補助走行具を同時に操作する構成の場合には、操作性は向上させることができるが、上下の補助走行具の昇降操作を安定的におこない難くなるという問題があった。
【０００４】
本発明はこのような問題に鑑みてなされたものであり、上下の補助走行具を１個の操作ハンドルで安定的に昇降操作ができるスイング引き戸を提供することを課題とするものである。
【０００５】
【課題を解決するための手段】
請求項１においては、引き戸１の一側端の上下に主走行具４を設けるとともに他側端の上下に補助走行具６を設け、主走行具４及び補助走行具６を上下レール２，３に走行自在に建て込むとともに補助走行具６を上下レール２，３から引き出して引き戸１を上下の主走行具６を中心にスイング回動自在にしたスイング引き戸であって、引き戸１の補助走行具６側の端部に補助走行具６を上下レール２，３に対して出退させるための操作ハンドル４６を回動軸４４の回りに上下方向に回動自在に設け、引き戸１側に設けた操作具ベース５５にスライドケース５６を上下方向にのみスライド自在に設け、スライドケース５６と補助走行具６とを連動機構５７にて連結してスライドケース５６の上下移動によって補助走行具６を上下レール２，３から出退自在にし、スライドケース５６内にばね５８を納めるとともにばね押圧体５９を設け、操作ハンドル４６に回動軸４４を越えて延出部６０を設け、延出部６０をばね押圧体５９に枢支連結して操作ハンドル４６の回動軸４４回りの回動操作によって補助走行具６を上下レール２，３から出退自在に構成し、ばね押圧体５９に設けたピン６２をスライドケース５６の長孔６１に貫通させて突出し、操作具ベース５５に設けた略円弧状のガイド孔６３に上記ピン６２をスライドガイド自在に挿通してあり、上記連動機構５７は、スライドケース５６から延出されるスライド板６６にラック６７が形成され、操作具ベース５５にピニオンギア８１が回転自在に保持され、このピニオンギア８１を介して上記ラック６７と噛み合うラックギア６９が上移動体６８に形成され、スライドケース５６に下移動体８２が連結されて構成され、上記操作ハンドル４６を回転軸４４の回りに上下方向に回転させると、操作ハンドル４６の延出部６０に枢着連結されたばね押圧体５９にてばね５８が押圧されて、ばね押圧体５９のピン６２が操作具ベース５５の略円弧状のガイド孔６３にガイドされることで、スライドケース５６が操作具ベース５５に沿って昇降し、このスライドケース５６の昇降により、スライド板、ピニオンギア８１及び上移動体６８を介して上補助走行具６ｂが昇降すると共に、下移動体８２を介して下補助走行具６ａが昇降することで、上下補助走行具６ａ，６ｂを上下レール２，３から出退できるようにしてあることを特徴とするものである。
【０００６】
このような構成によれば、１個の操作ハンドル４６にて上下の補助走行具６の昇降操作をおこなうことができながら、操作ハンドル４６側のばね押圧体５９に設けたピン６２はスライドケース５６の長孔６１に貫通して操作具ベース５５に形成してある略円弧状のガイド孔６３に挿通していて、操作ハンドル４６の回動操作は、ピン６２がガイド孔６３にガイドされる操作となり、上下の補助操作具６の昇降操作を安定化させることができるものである。
【０００７】
請求項２においては、引き戸１の一側端の上下に主走行具４を設けるとともに他側端の上下に補助走行具６を設け、主走行具４及び補助走行具６を上下レール２，３に走行自在に建て込むとともに補助走行具６を上下レール２，３から引き出して引き戸１を上下の主走行具６を中心にスイング回動自在にしたスイング引き戸であって、引き戸１の補助走行具６側の端部に補助走行具６を上下レール２，３に対して出退させるための操作ハンドル４６を回動軸４４の回りに上下方向に回動自在に設け、操作ハンドル４６と補助走行具６とを連動機構５７にて連結して操作ハンドル４６の上下回動によって補助走行具６を上下レール２，３から出退自在にし、操作ハンドル４６にピン６２を突出させ、操作具ベース５５に設けた略円弧状のガイド孔６３に上記ピン６２をスライドガイド自在に挿通し、ピン６２をガイド孔６３の端部に係止する係止手段６４を設け、上記連動機構５７は、操作ハンドル４６のピン６２に枢支連結される揺動アーム８７と、揺動アーム８７に軸８６を介して枢支連結される下移動体８２と、操作ハンドル４６にリンク８３及び軸８４の回りに回転する回転アーム８５を介して連結される上移動体６８とで構成され、操作ハンドル４６の上下回動によって操作ハンドル４６のピン６２が操作具ベース５５の略円弧状のガイド孔６３にガイドされることで、揺動アーム８７及び下移動体８２を介して上補助走行具６ｂが昇降すると共に、リンク８３及び回転アーム８５を介して下移動体８２が昇降し、これにより上下補助走行具６ｂ，６ａを上下レール２，３から出退できるようにしてあることを特徴とするものである。
【０００８】
このような構成によれば、１個の操作ハンドル４６にて上下の補助走行具６の昇降操作をおこなうことができながら、操作ハンドル４６側のピン６２が操作具ベース５５に設けた略円弧状のガイド孔６３にスライドガイド自在に挿通されていて、操作ハンドル４６の回動操作は、ピン６２がガイド孔６３にガイドされる操作となり、上下の補助操作具６の昇降操作を安定化させることができるものである。
【０００９】
【発明の実施の形態】
本発明を以下添付図面に示す実施形態に基づいて説明する。
【００１０】
図１乃至図７に示すように、引き戸１の一端部の上下には主走行具４を設けてあり、主走行具４としては上主走行具４ｂと下主走行具４ａとがあり、上下レール２、３に走行自在に装設されている。
【００１１】
引き戸１の一側端部には凹部７０があり、該凹部７０内の上下部にはガイド枠１２が固着してある。図６に示すようにガイド枠１２にガイドレール部７１が固定してあり、ガイドレール部７１にはガイドブロック１９の後部に設けた被ガイド部７２がスライド自在にはめ込んであって、ガイド部７２はガイドレール部７１に対して上下方向にのみ移動可能となっている。ガイド枠１２には第１横向き片７３と第２横向き片７４とが小間隙を介して設けてある。第１横向き片７３と第２横向き片７４とにはそれぞれ挿通孔７３ａ、７４ａが設けてあり、また、第１横向き片７３には治具挿入孔７５が設けてあり、第２横向き片７４には治具挿入孔７５に対向してねじ挿入孔７６が設けてある。ねじ挿入孔７６には調節ねじ１５が挿通してあり、調節ねじ１５の頭部１５ａが上記第１横向き片７３と第２横向き片７４との間に位置して調節ねじ１５がガイド枠１２に対して上下方向に移動できないようになっている。つまり、調節ねじ１５の頭部１５ａは治具挿入孔７５やねじ挿入孔７６よりも大径となっていて、頭部１５ａが治具挿入孔７５やねじ挿入孔７６から外にはみ出さないようになっていると共に、頭部１５ａの厚みは第１横向き片７３と第２横向き片７４との間の小間隙の上下方向の長さにほぼ等しいものである。
【００１２】
ガイドブロック１９には溝部７７が設けてあり、この溝部７７には図５、図６に示すように縦孔７８の一端部が連通しており、該縦孔７８の他端部は上記ねじ挿入孔７６に対向している。溝部７７内にはナット嵌め込み部７７ａが設けてあり、ナット嵌め込み部７７ａにナット７９が回転ができず且つ上下移動ができないようにはめ込んである。そして、調節ねじ１５がねじ挿入孔７６に挿入されて上記ナット７９に螺挿してある。上記調節ねじ１５の頭部１５ａの端面には角孔やプラス又はマイナス溝等の治具係止部が設けてあって、治具挿入孔７５からレンチやドライバ等の治具を挿入して先端を治具係止部に係止した状態で治具を回転することで、ガイドレール部７１に対してガイドブロック１９を上下方向に移動させるものであり、このことによりガイドブロック１９が引き戸１に対して上下方向に移動するものである。
【００１３】
引き戸１の一方の側端部の下部に配置された上記ガイドブロック１９にはガイドブロック１９に対して回転は自在であるが上下方向に移動しないように下軸２０が貫挿してあり、下軸２０の下部には下主走行具４ａが設けてある。上記下主走行具４ａは下軸２０と下軸２０に対して回転自在であるが上下方向には移動しない水平輪１０と、下軸２０の水平輪１０の取付け部分より下方位置において下軸２０に固着されたピニオン５とで構成してある。
【００１４】
また、引き戸１の一方の側端部の上部に配置された上記ガイドブロック１９にはガイドブロック１９に対して回転は自在であるが上下方向に移動しないように上軸２３が貫挿してあり、上軸２３の上部には上主走行具４ｂが設けてある。上記上主走行具４ｂは上軸２３と、上軸２３に対して回転自在であるが上下方向には移動しない上水平ころ２６と、上水平ころ２６の上方において上軸２３の上端部に固着されたピニオン５とで構成してある。
【００１５】
なお、上記下軸２０や上軸２３の上部は挿通孔７３ａ、７４ａを貫通している。
【００１６】
上下レール２、３の長手方向の端部の内部の側面部にはラック７が設けてある。また、上レール２及び下レール３はそれぞれ２条ずつ並設してあって、図４に示すように、並設した２条の上レール２を一体成型により形成してあり、また、並設した２条の下レール３を一体成型により形成してある。一体成型により形成した２条の下レール３の両レール用開口の側縁間の上面は中央が高くなった山型形状をしており、この山型形状をした上面の両片側半部がそれぞれ傾斜した走行面２１となっている。そして、２条のレール３の各レール用開口の両側縁の上面のうち片側の上面である上記走行面２１は各レール用開口の両側縁の上面のうちの他の片側の上面よりも高くなっており、主走行具４に設けた水平輪１０が傾斜した走行面２１に載置されて走行するようになっている。つまり、水平輪１０の下面は片側の走行面２１に接した部分のみが載置されるようになっていて、水平輪１０が抵抗を少なくしてスムーズに回転でき、走行及びスイングがよりスムーズに行えるようになっている。また、上記傾斜した走行面２１の傾斜はゆるい傾斜となっていて、歩行の際に上記のように山型形状としたものであっても、歩行がしにくくなることがないようにしてある。
【００１７】
また、下レール３の長手方向の端部にラック７を設けるに当たって、下レール３内の両側面のうち上記走行面２１に対して遠い方の側面に沿ってラック７を配設してある。このように構成することで、水平輪２１により引き戸１の荷重を下レール３に支持させる部分と、ピニオン５がラック７と噛合する部分とが主走行具４の軸芯を挟んで両側にバランスよく位置することとなって、主走行具４が下レール３に対してがたつきなくバランスよくスムーズに走行したり回転したりできることになる。特に、図４に示すように走行面２１を傾斜面とすることで、傾斜した走行面２１に水平輪１０が載置されると、図４の矢印方向に下主走行具４ａがずれようとするが、このずれようとする力は下レール３内の両側面のうち上記走行面２１に対して遠い方の側面に沿ってラック７を配設してあるからピニオン５がラック７と噛み合う方向の力であって、このため、ピニオン５がラック７から離れる方向に動いてがたつくという現象が防止できるものである。
【００１８】
上記のように、下主走行具４ａの水平輪１０が走行面２１上に載置されて引き戸１の荷重を下レール３で支持するようになっているが、ここで、下に位置するガイド枠１２に設けた治具挿入孔７５から治具を挿入して調節ねじ１５を回転することで、下のガイドブロック１９を上下方向に移動させて、下主走行具４ａを引き戸１に対して上下方向に移動させ、このことにより引き戸１の下レール３からの高さ調整を行うことができるようになっている。
【００１９】
また、上に位置するガイド枠１２に設けた治具挿入孔７５から治具を挿入して調節ねじ１５を回転することで、上のガイドブロック１９を上下方向に移動させて、上主走行具４ｂを引き戸１に対して上下方向に移動させ、このことにより上主走行具４ｂの高さ調整をして、上主走行具４ｂの上レール２への嵌め込みを調整するものである。
【００２０】
引き戸１の他端部には上下レール２、３に走行自在にはめ込まれ且つ上下移動自在で上下レール２、３から引き抜き自在となった補助走行具６が設けてある。補助走行具６としては上補助走行具６ｂと下補助走行具６ａとがある。
【００２１】
補助走行具６及び補助走行具調整手段Ｂについて図８乃至図１１について述べる。引き戸１の他端の側面部に設けた凹部８０の上部と下部とにはそれぞれ固定金具９０によりガイドレール部材９１が取付けてある。ガイドレール部材９１は添付図面の実施形態では長手方向に２分割してあるが、分割せず一体のものであってもよい。そして、ガイドレール部材９１の長手方向の半分（図の実施形態では２分割したうちの一方）には連結具９２の後面部の係止部９２ａが上下方向にスライド自在にはめ込んである。この連結具９２の上下方向の一端部には上下に小間隙を隔てて対向する第１横片９２ｂと第２横片９２ｃとが設けてあり、また、第１横片９２ｂには治具挿入孔９２ｆが設けてあり、第２横片９２ｃには治具挿入孔９２ｆに対向してねじ挿入孔９２ｇが設けてある。ねじ挿入孔９２ｇには調節ねじ９３が挿通してあり、挿通ねじ９３の頭部９３ａが上記第１横片９２ｂと第２横片９２ｃとの間に位置して調節ねじ９３が連結具９２に対して上下方向に移動できないようになっている。つまり、調節ねじ９３の頭部９３ａは治具挿入孔９２ｆやねじ挿入孔９２ｇよりも大径となっていて、頭部９３ａが治具挿入孔９２ｆやねじ挿入孔９２ｇから外にはみ出さないようになっていると共に、頭部９３ａの厚みは第１横片９２ｂと第２横片９２ｃとの間の小間隙の上下方向の長さにほぼ等しいものである。
【００２２】
ガイドレール部材９１の長手方向の他の半分（図の実施形態では２分割したうちの他方）に補助ガイドブロック９４の後部に設けた被ガイド部９４ａが上下方向にスライド自在にはめ込んである。
【００２３】
補助ガイドブロック９４には溝部９４ｂが設けてあり、この溝部９４ｂには縦孔９４ｃの一端部が連通しており、該縦孔９４ｃの他端部は上記ねじ挿入孔９２ｇに対向している。溝部９４ｂ内にはナット嵌め込み部９４ｄが設けてあり、ナット嵌め込み部９４ｄにナット９４ｅが回転ができず且つ上下移動ができないようにはめ込んである。そして、調節ねじ９３がねじ挿入孔９２ｇに挿入されて上記ナット９４ｅに螺挿してある。上記調節ねじ９３の頭部９３ａの端面には角孔やプラス又はマイナス溝等の治具係止部が設けてあって、治具挿入孔９２ｆからレンチやドライバ等の治具を挿入して先端を治具係止部に係止した状態で治具を回転することで、ガイドレール部材９１に対して補助ガイドブロック９４を上下方向に移動させるものであり、このことにより補助ガイドブロック９４と連結具９２との間の距離を調整するようになっている。
【００２４】
下に位置する連結具９２の上端部には下連結軸３６の下端部が連結してある。また、下に位置する補助ガイドブロック９４には下軸体３３がガイドブロック９４に対して上下移動はできないが回転自在に貫挿して取付けてあって、この下軸体３３の下端部よりやや上方位置に水平ころ３４が下軸体３３に対して上下移動はできないが回転自在に取付けてある。そして、下軸体３３の下部が下ガイド３５となっており、この下ガイド３５と水平ころ３４と下軸体３３とで下補助走行具６ａが構成してある。
【００２５】
また、上に位置する連結具９２の下端部には上連結軸４１の下端部が連結してある。また、上に位置する補助ガイドブロック９４には上軸体３９が補助ガイドブロック９４に対して上下動はできないが回転自在に貫挿して取付けてあって、この上軸体３９の上端部には上ガイド４０が設けてあって、上補助走行具６ｂが構成してある。
【００２６】
そして、上記のようにして下の調節ねじ９３を回転操作して補助ガイドブロック９４と連結具９２との間の距離を調整することで、下補助走行具６ａと引き戸１との上下方向の位置関係を調節し、下の補助ガイドブロック９４に取付けた下補助走行具６ａの水平ころ３４が下レール３の上面に載置された状態における引き戸１の高さ調整を行うものである。
【００２７】
また、上の調節ねじ９３を回転操作して補助ガイドブロック９４と連結具９２との間の距離を調整することで、上補助走行具６ｂと引き戸１との上下方向の位置関係を調節し、上の補助ガイドブロック９４に取付けた上補助走行具６ａの上ガイド４０の上レール２内への挿入深さの調整を行うものである。
【００２８】
上補助走行具６ｂ及び下補助走行具６ａは上下レール２，３から引き出されて引き戸１を上主走行具４ｂ及び下主走行具４ａを中心にしてスイング回動できるのであり、以下、上下補助走行具６ｂ，６ａを出退させる構成を詳述する。
【００２９】
図１２乃至図１３に示すように、引き戸１の補助走行具６側の端部には、例えば、金属製で略コ字状の操作具ベース５５が取り付けられ、操作具ベース５５の内部にはスライドケース５６を上下方向にのみスライド自在に挿入している。スライドケース５６内にコイルスプリング製のばね５８を納めるとともにばね押圧体５９をスライド移動自在に設けている。操作具ベース５５の前面部には回動軸４４を介して操作ハンドル４６を上下方向に回動自在に設けている。操作ハンドル４６に回動軸４４を越えて延出部６０を設けている。延出部６０をばね押圧体５９に枢軸６５を介して枢支連結している。
【００３０】
しかして、操作ハンドル４６の回動軸４４回りの回動操作によって、ばね押圧体５９にてばね５８を押圧しながら、スライドケース５６を操作具ベース５５に沿って上下方向にスライド自在に移動できるようにしている。
【００３１】
スライドケース５６の後方上端からスライド板６６が上方に延出され、スライド板６６にはラック６７が形成されている。一方、上連結軸４１が固定されている上移動体６８にもラックギア６９が切られている。操作具ベース５５にはピニオンギア８１が回転自在に保持されている。しかして、スライドケース５６の昇降により、スライド板６６、ピニオンギア８１及び上移動体６８等の連動機構５７並びに上連結軸４１等を介して上補助走行具６ｂを昇降して上レール２から上補助走行具６ｂを出退することができるようにしている。
【００３２】
スライドケース５６の前方下端から下移動体８２を垂下して下連結軸３６を連結している。しかして、スライドケース５６の昇降により、連動機構５７を構成している下移動体８２及び下連結軸３６等を介して下補助走行具６ａを昇降して下レール３から下補助走行具６ａを出退することができるようにしている。
【００３３】
ところで、ばね押圧体５９にはピン６２をスライドケース５６の長孔６１に貫通させて突出して設けてあり、操作具ベース５５には略円弧状のガイド孔６３を形成してあり、ピン６２をガイド孔６３にスライドガイド自在に挿通してある。
【００３４】
しかして、操作ハンドル４６を回転軸４４の回りに上下方向に回転させてスライドケース５６を上下方向に移動させて、上下補助走行具６ｂ，６ａを昇降させる操作に際して、１個の操作ハンドル４６にて上下補助走行具６ｂ，６ａの昇降操作をおこなうことができながら、操作ハンドル４６側のピン６２は操作具ベース５５に形成してある略円弧状のガイド孔６３に挿通していて、操作ハンドル４６の回動操作は、ピン６２がガイド孔６３にガイドされる操作となり、上下の補助操作具６の昇降操作を安定化させることができるものである。
【００３５】
図１５乃至図１９は他の実施の形態を示している。但し、本実施の形態の基本構成は上記実施の形態と共通であり、共通する部分には同一の符号を付して説明は省略する。
【００３６】
本実施の形態においては、引き戸１の補助走行具６側の端部に補助走行具６を上下レール２，３に対して出退させるための操作ハンドル４６を回動軸４４の回りに上下方向に回動自在に設けている。
【００３７】
操作ハンドル４６の上方には連動機構５７を構成しているリンク８３、軸８４の回りに回転する回転アーム８５を介して上移動体６８を連結している。操作ハンドル４６の下方にはピン６２を介して連動機構５７を構成している揺動アーム８７が枢支連結され、揺動アーム８７には軸８６を介して下移動体８２が枢支連結されている。しかして、操作ハンドル４６の上下回動によって上下補助走行具６ｂ，６ａを上下レール２，３から出退できるようにしている。
【００３８】
ところで、操作ハンドル４６の中間部に設けたピン６２を突出させ、操作具ベース５５に設けた略円弧状のガイド孔６３に上記ピン６２をスライドガイド自在に挿通している。ガイド孔６３の両端部は少し円弧中心側に曲げて係止部分８９を形成しているとともに、引張ばね１００によってピン６２をガイド孔６３の端部に係止するようにしている。このように、ピン６２をガイド孔６３の端部に係止する構成を係止手段６４と総称する。
【００３９】
このように、操作ハンドル４６側のピン６２が操作具ベース５５に設けた略円弧状のガイド孔６３にスライドガイド自在に挿通されていて、操作ハンドル４６の回動操作は、ピン６２がガイド孔６３にガイドされる操作となり、上下の補助操作具６の昇降操作を安定化させることができるものである。
【００４０】
【発明の効果】
請求項１においては、引き戸の一側端の上下に主走行具を設けるとともに他側端の上下に補助走行具を設け、主走行具及び補助走行具を上下レールに走行自在に建て込むとともに補助走行具を上下レールから引き出して引き戸を上下の主走行具を中心にスイング回動自在にしたスイング引き戸であって、引き戸の補助走行具側の端部に補助走行具を上下レールに対して出退させるための操作ハンドルを回動軸の回りに上下方向に回動自在に設け、引き戸側に設けた操作具ベースにスライドケースを上下方向にのみスライド自在に設け、スライドケースと補助走行具とを連動機構にて連結してスライドケースの上下移動によって補助走行具を上下レールから出退自在にし、スライドケース内にばねを納めるとともにばね押圧体を設け、操作ハンドルに回動軸を越えて延出部を設け、延出部をばね押圧体に枢支連結して操作ハンドルの回動軸回りの回動操作によって補助走行具を上下レールから出退自在に構成し、ばね押圧体に設けたピンをスライドケースの長孔に貫通させて突出し、操作具ベースに設けた略円弧状のガイド孔に上記ピンをスライドガイド自在に挿通してあり、上記連動機構は、スライドケースから延出されるスライド板にラックが形成され、操作具ベースにピニオンギアが回転自在に保持され、このピニオンギアを介して上記ラックと噛み合うラックギアが上移動体に形成され、スライドケースに下移動体が連結されて構成され、上記操作ハンドルを回転軸の回りに上下方向に回転させると、操作ハンドルの延出部に枢着連結されたばね押圧体にてばねが押圧されて、ばね押圧体のピンが操作具ベースの略円弧状のガイド孔にガイドされることで、スライドケースが操作具ベースに沿って昇降し、このスライドケースの昇降により、スライド板、ピニオンギア及び上移動体を介して上補助走行具が昇降すると共に、下移動体を介して下補助走行具が昇降することで、上下補助走行具を上下レールから出退できるようにしてあるから、１個の操作ハンドルにて上下の補助走行具の昇降操作をおこなうことができながら、操作ハンドル側のばね押圧体に設けたピンはスライドケースの長孔に貫通して操作具ベースに形成してある略円弧状のガイド孔に挿通していて、操作ハンドルの回動操作は、ピンがガイド孔にガイドされる操作となり、上下の補助操作具の昇降操作を安定化させることができるという利点がある。
【００４１】
請求項２においては、引き戸の一側端の上下に主走行具を設けるとともに他側端の上下に補助走行具を設け、主走行具及び補助走行具を上下レールに走行自在に建て込むとともに補助走行具を上下レールから引き出して引き戸を上下の主走行具を中心にスイング回動自在にしたスイング引き戸であって、引き戸の補助走行具側の端部に補助走行具を上下レールに対して出退させるための操作ハンドルを回動軸の回りに上下方向に回動自在に設け、操作ハンドルと補助走行具とを連動機構にて連結して操作ハンドルの上下回動によって補助走行具を上下レールから出退自在にし、操作ハンドルにピンを突出させ、操作具ベースに設けた略円弧状のガイド孔に上記ピンをスライドガイド自在に挿通し、ピンをガイド孔の端部に係止する係止手段を設け、上記連動機構は、操作ハンドルのピンに枢支連結される揺動アームと、揺動アームに軸を介して枢支連結される下移動体と、操作ハンドルにリンク及び軸の回りに回転する回転アームを介して連結される上移動体とで構成され、操作ハンドルの上下回動によって操作ハンドルのピンが操作具ベースの略円弧状のガイド孔にガイドされることで、揺動アーム及び下移動体を介して上補助走行具が昇降すると共に、リンク及び回転アームを介して下移動体が昇降し、これにより上下補助走行具を上下レールから出退できるようにしてあるから、１個の操作ハンドルにて上下の補助走行具の昇降操作をおこなうことができながら、操作ハンドル側のピンが操作具ベースに設けた略円弧状のガイド孔にスライドガイド自在に挿通されていて、操作ハンドルの回動操作は、ピンがガイド孔にガイドされる操作となり、上下の補助操作具の昇降操作を安定化させることができるという利点がある。
【図面の簡単な説明】
【図１】本発明の一実施形態を示し、（ａ）は全閉状態の一部切欠概略平面図であり、（ｂ）は同上の一部切欠概略正面図である。
【図２】同上の第１の引き戸を回動して開いた状態を示し、（ａ）は一部省略平面図であり、（ｂ）は一部省略正面図である。
【図３】同上の引き戸を回動して全開した状態を示す平面図である。
【図４】同上のラックにピニオンが噛合した状態で引き戸を回動した状態を示す断面図である。
【図５】同上の正面図である。
【図６】同上のガイドブロック部分の斜視図である。
【図７】同上の平面図である。
【図８】同上の補助走行具を上下のレールに差し込んでいる状態を示す説明図である。
【図９】同上の正面図である。
【図１０】同上の平面図である。
【図１１】同上の補助走行体の上下調整機構を示す一部省略斜視図である。
【図１２】同上の補助走行体を昇降させる機構を示す一部破断した断面図である。
【図１３】同上の正面図である。
【図１４】同上の平面図である。
【図１５】同上の補助走行体を昇降させる機構の他の実施の形態を示す一部破断した断面図である。
【図１６】同上の動作を示す断面図である。
【図１７】（ａ）は同上の動作を示す断面図、（ｂ）はガイド孔の部分拡大正面図である。
【図１８】同上の正面図である。
【図１９】同上の分解斜視図である。
【符号の説明】
１    引き戸
２    上レール
３    下レール
４    主走行具
６    補助走行具
４４  回動軸
４６  操作ハンドル
５５  操作具ベース
５６  スライドケース
５７  連動機構
５８  ばね
５９  ばね押圧体
６０  延出部
６１  長孔
６２  ピン
６３  ガイド孔
６４  係止手段
【図１】
0003570258.tif 000002
【図２】
0003570258.tif 000003
【図３】
0003570258.tif 000004
【図４】
0003570258.tif 000005
【図５】
0003570258.tif 000006
【図６】
0003570258.tif 000007
【図７】
0003570258.tif 000008
【図８】
0003570258.tif 000009
【図９】
0003570258.tif 000010
【図１０】
0003570258.tif 000011
【図１１】
0003570258.tif 000012
【図１２】
0003570258.tif 000013
【図１３】
0003570258.tif 000014
【図１４】
0003570258.tif 000015
【図１５】
0003570258.tif 000016
【図１６】
0003570258.tif 000017
【図１７】
0003570258.tif 000018
【図１８】
0003570258.tif 000019
【図１９】
0003570258.tif 000020